(57)【要約】      （修正有）【課題】多本のランプチューブを接続する際に燈光が切断されること少なく又均一な燈光を期待できるシームレス・カップラ蛍光灯を提供する。【解決手段】ランプチューブ１の両端に平頭処理工程による処理をした後、線条５のニッケル線４を、平頭ランプキャップの反対方向に向くように曲げ、更にランプチューブ両端の水平側面ガラス・ウオールにトレパニングし、かつ陰極装入工程により、陰極をランプチューブに入れ、またこれを溶接し、それからランプキャップ部品をガラス・ランプチューブの側面位置に固定する。【選択図】図１
0003147259.tif 000002
【実用新案登録請求の範囲】
【請求項１】
ランプチューブの両端に平頭処理工程による処理した後、線条のニッケル線を曲がり、逆に平頭ランプキャップの方向に向く、更にランプチューブ両端の水平側面ガラス・ウオールにトレパニングするかつ陰極装入工程による、陰極をランプチューブに入れるまたこれを溶接するが、それからランプキャップ部品をガラス・ランプチューブの側面位置に固定することを特徴とする１種シームレス・カップラ蛍光灯及び平頭内部構造。
【請求項２】
前記のランプキャップ部品がアルミニウム或はＰＣ材質を採用できて制作を行なうことを特徴とする特許請求の範囲１項記載の１種シームレス・カップラ蛍光灯及び平頭内部構造。
【考案の詳細な説明】
【技術分野】
【０００１】
本考案は１種蛍光灯及び平頭内部構造に係り、具体的に言えばそれは１種シームレス・カップラ蛍光灯及び平頭内部構造である。
【背景技術】
【０００２】
普通蛍光灯はランプチューブの両端にランプキャップ部品を取り付けているので、１本の一体光帯を製作しようとする、多本のランプチューブが接続する際に燈光が切断された様子を可能出現するようになる、燈光も均一でなく、その使用効果に影響された、こんなに建築化照明分野における要求を満たしかねる。だから、本発明の１種シームレス・カップラ蛍光灯及び平頭内部構造では今までには依然としてプランクである。
【０００３】
本考案は解決しようとする技術問題では既存技術が存在する欠陥に即応して１種シームレス・カップラ蛍光灯及び平頭内部構造を提供する、多本のランプチューブが接続する際に出現している燈光が切断された欠陥を解決する。
【考案の開示】
【考案が解決しようとする課題】
【０００４】
普通蛍光灯はランプチューブの両端にランプキャップ部品を取り付けているので、1本の一体光帯を製作しようとする、多本のランプチューブが接続する際に燈光が切断された様子を可能出現するようになる、燈光も均一でなく、その使用効果に影響された、こんなに建築化照明分野における要求を満たしかねる。
【課題を解決するための手段】
【０００５】
本考案はその技術問題を解決するために採用した技術の方案は１種シームレス・カップラ蛍光灯及び平頭内部構造、ランプチューブの両端には平頭処理の部分であり、線条のニッケル線を曲がり、逆に平頭ランプキャップの方向に向く、前記のランプチューブ両端の水平側面ガラス・ウオールにトレパニングして陰極をその中に入れるかつそれを溶接するが、それからランプキャップ部品をグルーでガラス・ランプチューブの側面位置に貼り合わせること。
【０００６】
前記のランプキャップ部品がアルミニウム或はPC 材質を採用できて制作を行なうこと。
【考案の効果】
【０００７】
本考案の１種シームレス・カップラ蛍光灯及び平頭内部構造では、既存の技術に相対するこの具体的に役に立つ効果が次の通りを表わす。
【０００８】
本考案の１種シームレス・カップラ蛍光灯はランプチューブの両端を平頭処理を行なう、線条のニッケル線を曲がり、逆に平頭ランプキャップの方向に向く、かつランプキャップ部品をランプチューブの側面に組み立てた、こんなに多本のランプチューブは接続する際に燈光が切断される様子を出現してはいけない、接続した蛍光灯は接続されている蛍光灯は一端から別の一端までに、その燈光が均一で、建築化照明分野における要求を満たし、良好な普及の使用価値を有する。
【考案を実施するための最良の形態】
【０００９】
１種シームレス・カップラ蛍光灯及び平頭内部構造、ランプチューブの両端では平頭処理部分であり、線条のニッケル線を曲がり、逆に平頭ランプキャップの方向に向く、前記のランプチューブ両端の水平側面ガラス・ウオールにトレパニングして陰極をその中に入れるかつそれを溶接するが、それからランプキャップ部品をグルーでガラス・ランプチューブの側面位置に貼り合わせること。
【００１０】
前記のランプキャップ部品がアルミニウム或はPC 材質を採用できて制作を行なうこと。
【００１１】
［その段取り］
Ａ：平頭処理工程は、フレームによるランプチューブ両端に対する平頭処理をする際、フレームは天然ガスあるいは石油液化ガスを使用するべきで酸素と低圧空気と混合する、フレームの温度は必ずガラスの溶融温度に達しなければならなく、平頭機の上にランプチューブに対して平頭をする際ではランプチューブの予熱、ジャンクの切除、ランプチューブの焼鈍を3つ階段と分けて完成してくることを必要とする。
【００１２】
Ｂ：陰極入れ工程は、ウイックと線条を引張り線機でそれを一体と構成する、かつ線条に電子発射材料を塗りつけるつまり電子粉である。ウイックのニッケル線を曲げ、逆に平頭ランプキャップの方向に向く、この線条を水平形にあらせる。ランプチューブ両端の水平面１１mmごろのところにフレームでガラスパイプにトレパニングして陰極をその中に入れる、必ず線機部位をランプチューブ両端の平頭面に近く寄り、またそれを溶接するが、陰極を入れた後のランプチューブはすぐに焼鈍機に置くべきで焼鈍する（300度、時間は2分）、ゆっくりとガラスの応力を除去し、破裂を予防する。
【００１３】
Ｃ：ランプ・キャップ組立の工程。ランプ・キャップの裏両側に防高温グルー貼付け、かつランプチューブの導線を真っ直に整理し、導線をそれぞれランプ・キャップの2つ導電銅針に引込む、またランプ・キャップをランプチューブと同じ所に貼付ける。輪ゴムでランプチューブとランプ・キャップをよく固定する、それをグルーがまだ干しない前に別れさせではいけない。それからランプ・キャップを組み立て済んだランプチューブを寸法位置決め枠に入れるワンキックに寸法をよく位置決めるようになる、グルーをよく凝固した後でランプ・キャップはランプチューブと完全に確認して粘着した後に輪ゴムを除去する。
【００１４】
本考案は1種シームレス・カップラ蛍光灯及び平頭内部構造を公開した、ランプチューブの両端に平頭処理工程による処理した後、線条のニッケル線を曲がり、，逆に平頭ランプキャップの方向に向く、更にランプチューブ両端の水平側面ガラス・ウオールにトレパニングするかつ陰極装入工程による、陰極をランプチューブに入れるまたこれを溶接するが、それからランプキャップ部品をガラス・ランプチューブの側面位置に固定する。本考案の1種シームレス・カップラ蛍光灯及び平頭内部構造、ランプチューブ両端を平頭処理する、かつランプキャップ部品をランプチューブの側面に取り付けました、線条のニッケル線を曲がり、逆に平頭ランプキャップの方向に向く、こんなに多本のランプチューブは連接する際に燈光が切断される様子を出現してはいけない、接続されている蛍光灯は一端から別の一端までに、その燈光が均一で、建築化照明分野における要求を満たし、良好な普及の使用価値を有する。
【図面の簡単な説明】
【００１５】
【図１】本考案における１種シームレス・カップラ蛍光灯の構造概念図である。
【図２】本考案における１種シームレス・カップラ蛍光灯の平頭部分内部の構造概念図である。
【符号の説明】
【００１６】
１    ランプチューブ
２    ランプキャップ部品
３    平頭処理部分
４    ニッケル線
５    線条
【図１】
0003147259.tif 000003
【図２】
0003147259.tif 000004
【手続補正書】
【提出日】平成20年10月10日(2008.10.10)
【手続補正１】
【補正対象書類名】実用新案登録請求の範囲
【補正対象項目名】全文
【補正方法】変更
【補正の内容】
【実用新案登録請求の範囲】
【請求項１】
ランプチューブの両端に平頭処理工程による処理した後、線条のニッケル線を、平頭ランプキャップの反対方向に向くように曲げ、更にランプチューブ両端の水平側面ガラス・ウオールにトレパニングし、かつ陰極装入工程により、陰極をランプチューブに入れ、またこれを溶接し、それからランプキャップ部品をガラス・ランプチューブの側面位置に固定することを特徴とする１種シームレス・カップラ蛍光灯。
【請求項２】
前記のランプキャップ部品がアルミニウム或はＰＣ材質を採用できて制作を行なうことを特徴とする請求の範囲１項記載の１種シームレス・カップラ蛍光灯。